(57)【要約】【課題】本発明は知能太陽エネルギー街灯システムを開示した。【解決手段】柱体を含み、前記の柱体の上側の前端面にスライド筐体が設置され、前記のスライド筐体の前端面に前に向かう縦のスライド溝が連通し設置され、前記のスライド溝が前記のスライド筐体と外部空間と連通し、前記のスライド筐体にスライドブロックが設置され、前記のスライドブロックに第一伝動筐体が設置され、前記の第一伝動筐体の後端壁の壁外に転向電機が固定に設置され、前記の転向電機の出力軸の前端面に第一ギヤが固定に設置され、前記の第一ギヤの下端面に第二ギヤが噛合し設置され、本発明が作業する際、本装置は太陽エネルギー蓄電と風エネルギー蓄電が交替的に進み、同時に進む蓄電がもたらすエネルギー過剰浪費を減らし、更に、その中のいずれかのエネルギー転化装置が作業する際、もう一つのエネルギー転化装置が保護の役割を果たし、使用寿命を延長する。【選択図】図1
2019200980.tif 000002
【特許請求の範囲】
【請求項１】
知能太陽エネルギー街灯システムは柱体を含み、前記の柱体の上側の前端面にスライド筐体が設置され、前記のスライド筐体の前端面に前に向かう縦のスライド溝が連通し設置され、前記のスライド溝が前記のスライド筐体と外部の空間と連通し、前記のスライド筐体にスライドブロックが設置され、前記のスライドブロックに第一伝動筐体が設置され、前記の第一伝動筐体の後端壁の壁外に転向電機が固定に設置され、前記の転向電機の出力軸の前端面に第一ギヤが固定に設置され、前記の第一ギヤの下端面に第二ギヤが噛合し設置され、前記の第二ギヤの心軸の前端面が前記のスライド筐体や前記のスライド溝を貫通して外部の空間に挿入し、前記の心軸に左右に貫通する凹形ブロックが固定に設置され、前記の凹形ブロックに前記の心軸に第一接続回転ブロックが回転に接続され、前記の第一接続回転ブロックに空き筐体が設置され、前記の空き筐体に前記の心軸に第二接続回転ブロックが回転に接続され、前記の第一接続回転ブロックの右端面と前記の第二接続回転ブロックの左端面にソーラーパネルが固定に接続され、前記の心軸の後端面に第一エネルギー転換器が固定に接続され、前記の心軸に伝送パイプが設置され、前記の伝送パイプが前記のソーラーパネルと前記の第一エネルギー転換器を接続し、前記のスライドブロックの下側にスライドレールが設置され、前記のスライドブロックがスライドレールとスライドして係合し接続され、前記のスライド筐体の下端面に内ねじ穴の固定ブロックが固定に設置され、前記のスライド筐体の下側に昇降溝が連通し設置され、前記のスライドブロックの下端面に駆動電機が固定に設置され、前記の駆動電機の出力軸の下端面に第一親ねじが固定に設置され、前記の第一親ねじの下端面が前記の固定ブロックを貫通して前記の昇降溝に挿入し、前記のスライド溝の前側に前記の柱体に上下に貫通する収集箱が固定に設置され、前記の収集箱の左右端面に左右に貫通する空き溝が対称に設置され、前記の空き溝の前端壁と後端壁の間に固定レバーが固定に設置され、前記の固定レバーに回転柱が回転にスリーブ接続され、前記の回転柱の左端面の中間位置に回しレバーが固定に設置され、前記の回転柱の右端面に接続レバーが前後対称に固定に設置され、前記の接続レバーの右端面に上に伸長する遮蔽板が固定に設置され、前記の遮蔽板の下端面の中間にばねが固定に設置され、前記のばねの他端が前記の回転柱の右端面の中間と固定に接続し、前記の昇降溝の後側に第二伝動筐体が連通し接続され、前記の第二伝動筐体に前記の第一親ねじに第三ギヤが噛合に設置され、前記の第三ギヤの後端面に第四ギヤが噛合に設置され、前記の第四ギヤの後端面に第五ギヤが噛合に設置され、前記の第五ギヤの中間位置に上に伸長する伝動軸が設置され、前記の伝動軸の上端面に第一傘歯車が固定に設置され、前記の第一傘歯車の後端面に第二傘歯車が噛合に設置され、前記の柱体の後端面に固定柱が固定に設置され、前記の固定柱に回転空き筐体が設置され、前記の第二傘歯車の後端面の中間位置に第二親ねじが固定に設置され、前記の第二親ねじの後端面が前記の回転空き筐体を貫通して前記の回転空き筐体の後端壁と回転に接続し、前記の第二親ねじに固形ブロックが内噛合に設置され、前記の固定柱の外周に水平のスライド空き溝が均等に分布し、前記のスライド空き溝が前記の回転空き溝と外部の空間を連通し、前記のスライド空き溝にＴ型ボロックがスライドに設置され、前記のＴ型ブロックの下端面が前記の固形ブロックと固定に接続し、前記のＴ型ブロックが固形ブロックの一つの端面を遠離して軸受を通じて接続環とスリーブ接続し、前記の接続環の外部に外リングギヤがスリーブ接続され、前記の外リングギヤの上端面に伝動ギヤが噛合に設置され、前記の伝動ギヤの前端面の中間位置に固定軸が固定に設置され、前記の固定軸の前端面が前記の柱体の後側に固定に設置される第二エネルギー転換器と固定に接続し、前記の固定柱の後端壁に固形レバーが回転に設置され、前記の固形レバーの後端が前記の固定柱を貫通して外部の空間に挿入し、前記の固形レバーに回転盤が固定に接続され、前記の回転盤の外周に前後回転の羽根が均等に分布し、前記の羽根に回し柄が回転に設置され、前記の回し柄の前端が前記の接続環に回転に接続し、前記の収集箱の下側に伝送レバーが固定に設置され、前記の伝送レバーの前側に知能街灯が固定に設置され、前記の伝送レバーの下側に支持レバーが設置され、前記の支持レバーの前端が前記の伝送レバーの前端と固定に接続し、前記の支持レバーの下端面が接続ブロックの前端面と固定に接続し、前記の接続ブロックの後端面が前記の溝切りを貫通して前記の弧状内歯板の前端面と固定に接続し、前記の知能街灯の下側に前記の柱体に蓄電池が固定に設置され、前記の柱体の上端面に前記のスライド筐体の上側にコントローラが設置され、完全な知能太陽エネルギー街灯システムを構成し、前記のスライドブロックの下端面から前記の固定ブロックの上端面までのスライド距離が前記の心軸の下端面からスライドブロックの下端面までの距離と前記の心軸から前記の収集箱の下端面までの距離の和と同じであり、左右対称の二つの前記の回しレバーの長さが前記の収集箱の長さの半分であり、前記の回しレバーが収集箱の中心の一端に近づいて上に向かって斜めに設置され、前記の接続レバーの長さが固定レバーから収集箱までの距離の長さより小さくなく、前記の遮蔽板の高さが前記の収集箱の長さの半分であり、前記のソーラーパネルの上端面の左右両側と前記の収集箱の左右両側に緩衝敷きが設置され、前記のスライド空き溝の長さと前記の回し柄が羽根のヒンジ点に接続して羽根につれて時計方向へ度回動して形成した弧状の長さが同じであり、前記の第一エネルギー転換器と前記の第二エネルギー転換器が電線を介して前記の蓄電池を連通し、前記の蓄電池が電線を介して前記の知能街灯と接続する。
【発明の詳細な説明】
【技術分野】
【０００１】
本発明は太陽エネルギー街灯分野を取り上げて、具体的には知能太陽エネルギー街灯システムである。
【背景技術】
【０００２】
新興エネルギーの開発によって、太陽エネルギーは太陽エネルギー街灯、給電照明などの各分野において応用られ、環境保護の上にエネルギー節約の面にも役に立つ。現在に太陽エネルギー街灯知能化は主に太陽エネルギーの転化効率向上と街灯の誘導コントロールに応用られ、でもソーラーパネルの吸収面積が充分でないため、光エネルギーの使用率が低いし、街灯に給電するエネルギーが単一で、長雨が降り続くと、蓄電池の保存電量が尽きたら交流しか使えなくなって、交流の電気エネルギーの消耗を高め、自然資源を十分に利用できなくなる。本発明はこの問題を解決できる。
【先行技術文献】
【特許文献】
【０００３】
【特許文献１】中国特許出願公開第104832848号明細書
【発明の概要】
【発明が解決しようとする課題】
【０００４】
本発明の目的は知能太陽エネルギー街灯システムを提供し、それは上記の技術問題を解決できる。
【課題を解決するための手段】
【０００５】
上記の目的を実現するため、本発明は以下の技術プランを提供する：知能太陽エネルギー街灯システムは柱体を含み、前記の柱体の上側の前端面にスライド筐体が設置され、前記のスライド筐体の前端面に前に向かう縦のスライド溝が連通し設置され、前記のスライド溝が前記のスライド筐体と外部の空間と連通し、前記のスライド筐体にスライドブロックが設置され、前記のスライドブロックに第一伝動筐体が設置され、前記の第一伝動筐体の後端壁の壁外に転向電機が固定に設置され、前記の転向電機の出力軸の前端面に第一ギヤが固定に設置され、前記の第一ギヤの下端面に第二ギヤが噛合し設置され、前記の第二ギヤの心軸の前端面が前記のスライド筐体や前記のスライド溝を貫通して外部の空間に挿入し、前記の心軸に左右に貫通する凹形ブロックが固定に設置され、前記の凹形ブロックに前記の心軸に第一接続回転ブロックが回転に接続され、前記の第一接続回転ブロックに空き筐体が設置され、前記の空き筐体に前記の心軸に第二接続回転ブロックが回転に接続され、前記の第一接続回転ブロックの右端面と前記の第二接続回転ブロックの左端面にソーラーパネルが固定に接続され、前記の心軸の後端面に第一エネルギー転換器が固定に接続され、前記の心軸に伝送パイプが設置され、前記の伝送パイプが前記のソーラーパネルと前記の第一エネルギー転換器を接続し、前記のスライドブロックの下側にスライドレールが設置され、前記のスライドブロックがスライドレールとスライドして係合し接続され、前記のスライド筐体の下端面に内ねじ穴の固定ブロックが固定に設置され、前記のスライド筐体の下側に昇降溝が連通し設置され、前記のスライドブロックの下端面に駆動電機が固定に設置され、前記の駆動電機の出力軸の下端面に第一親ねじが固定に設置され、前記の第一親ねじの下端面が前記の固定ブロックを貫通して前記の昇降溝に挿入し、前記のスライド溝の前側に前記の柱体に上下に貫通する収集箱が固定に設置され、前記の収集箱の左右端面に左右に貫通する空き溝が対称に設置され、前記の空き溝の前端壁と後端壁の間に固定レバーが固定に設置され、前記の固定レバーに回転柱が回転にスリーブ接続され、前記の回転柱の左端面の中間位置に回しレバーが固定に設置され、前記の回転柱の右端面に接続レバーが前後対称に固定に設置され、前記の接続レバーの右端面に上に伸長する遮蔽板が固定に設置され、前記の遮蔽板の下端面の中間にばねが固定に設置され、前記のばねの他端が前記の回転柱の右端面の中間と固定に接続し、前記の昇降溝の後側に第二伝動筐体が連通し接続され、前記の第二伝動筐体に前記の第一親ねじに第三ギヤが噛合に設置され、前記の第三ギヤの後端面に第四ギヤが噛合に設置され、前記の第四ギヤの後端面に第五ギヤが噛合に設置され、前記の第五ギヤの中間位置に上に伸長する伝動軸が設置され、前記の伝動軸の上端面に第一傘歯車が固定に設置され、前記の第一傘歯車の後端面に第二傘歯車が噛合に設置され、前記の柱体の後端面に固定柱が固定に設置され、前記の固定柱に回転空き筐体が設置され、前記の第二傘歯車の後端面の中間位置に第二親ねじが固定に設置され、前記の第二親ねじの後端面が前記の回転空き筐体を貫通して前記の回転空き筐体の後端壁と回転に接続し、前記の第二親ねじに固形ブロックが内噛合に設置され、前記の固定柱の外周に水平のスライド空き溝が均等に分布し、前記のスライド空き溝が前記の回転空き溝と外部の空間を連通し、前記のスライド空き溝にＴ型ボロックがスライドに設置され、前記のＴ型ブロックの下端面が前記の固形ブロックと固定に接続し、前記のＴ型ブロックが固形ブロックの一つの端面を遠離して軸受を通じて接続環とスリーブ接続し、前記の接続環の外部に外リングギヤがスリーブ接続され、前記の外リングギヤの上端面に伝動ギヤが噛合に設置され、前記の伝動ギヤの前端面の中間位置に固定軸が固定に設置され、前記の固定軸の前端面が前記の柱体の後側に固定に設置される第二エネルギー転換器と固定に接続し、前記の固定柱の後端壁に固形レバーが回転に設置され、前記の固形レバーの後端が前記の固定柱を貫通して外部の空間に挿入し、前記の固形レバーに回転盤が固定に接続され、前記の回転盤の外周に前後回転の羽根が均等に分布し、前記の羽根に回し柄が回転に設置され、前記の回し柄の前端が前記の接続環に回転に接続し、前記の収集箱の下側に伝送レバーが固定に設置され、前記の伝送レバーの前側に知能街灯が固定に設置され、前記の伝送レバーの下側に支持レバーが設置され、前記の支持レバーの前端が前記の伝送レバーの前端と固定に接続し、前記の支持レバーの下端面が接続ブロックの前端面と固定に接続し、前記の接続ブロックの後端面が前記の溝切りを貫通して前記の弧状内歯板の前端面と固定に接続し、前記の知能街灯の下側に前記の柱体に蓄電池が固定に設置され、前記の柱体の上端面に前記のスライド筐体の上側にコントローラが設置され、完全な知能太陽エネルギー街灯システムを構成する。
【０００６】
好ましい技術プランとして前記の収集箱の高さが前記のソーラーパネルの長さより大きく、前記のスライドブロックの下端面から前記の固定ブロックの上端面までのスライド距離が前記の心軸の下端面からスライドブロックの下端面までの距離と前記の心軸から前記の収集箱の下端面までの距離の和と同じく、これにより駆動電気がスライドブロックをつれて、前記のスライドブロックが下へ移動して前記のスライド筐体の下側の限界位置に至る時、収縮した前記のソーラーパネルがちょうど完全に前記の収集箱に放置され、装置の機能性を高める。
【０００７】
好ましい技術プランとして左右対称の二つの前記の回しレバーの長さが前記の収集箱の長さの半分であり、前記の回しレバーが収集箱の中心の一端に近づいて上に向かって斜めに設置され、前記の接続レバーの長さが固定レバーから収集箱までの距離の長さより小さくなく、前記の遮蔽板の高さが前記の収集箱の長さの半分であり、これにより、回しレバーが固定レバーの周りを回る時に、回しレバーと固定レバーが互いに妨害せず、かつ収縮したソーラーパネルによって回しレバーと固定レバーが同時に下に向かって推動られ、接続レバーが収集箱の側壁まで回転した時に、左右対称の遮蔽板がちょうど左右接合して収集箱の上端面を閉じ、ソーラーパネルの収集操作を完成し、装置の協調性を高める。
【０００８】
好ましい技術プランとして前記のソーラーパネルの上端面の左右両側と前記の収集箱の左右両側に緩衝敷きが設置され、これにより、ソーラーパネルが上に向かって回転し収縮する時に慣性のぶつかり合いが致すソーラーパネルの上端面の損害を防止し、収集箱の上端面の緩衝敷きがソーラーパネルの下端面の損害を防止し、ソーラーパネルの使用寿命を延長する。
【０００９】
好ましい技術プランとして前記のスライド空き溝の長さと前記の回し柄が羽根のヒンジ点に接続して羽根につれて時計方向へ度回動して形成した弧状の長さが同じく、これにより、羽根を収縮する時、Ｔ型ブロックが右に向かってスライドしてスライド空き溝の後側の限界位置まで至った時、回しレバーが羽根を推動して一緒に水平に収縮するまで時計回りに回し、装置の可能性を保証する。
【００１０】
好ましい技術プランとして前記の第一エネルギー転換器と前記の第二エネルギー転換器が電線を介して前記の蓄電池を連通し、前記の蓄電池が電線を介して前記の知能街灯と接続し、これにより、太陽エネルギーと風エネルギーから転化された電気エネルギーを蓄電池に蓄え、電線を介して知能街灯に給電し、知能太陽エネルギー街灯システムの仕事を完成する。
【発明の効果】
【００１１】
現在の技術と比べ、本発明の有益効果は：本発明が作業する中、太陽エネルギーと風エネルギーを結合して利用し、太陽がある日に、ソーラーパネルが光エネルギーを電気エネルギーに転化して街灯に給電し、曇天や雨天または太陽のない夜に、太陽エネルギーを収集箱に収め、遮蔽板が収集箱の上端面を覆い、ソーラーパネルの消耗を控え、ソーラーパネルが収集する時、羽根が広げ、風エネルギーを通じて発電し、街灯に給電し、更に風エネルギーを使わない時、羽根を収縮することで羽根の消耗を控え、本装置は太陽エネルギー蓄電と風エネルギー蓄電が交替的に進み、同時に進む蓄電がもたらすエネルギー過剰の浪費を減らし、更に、その中のいずれかのエネルギー転化装置が作業するとき、もう一つのエネルギー転化装置が保護の役割を果たし、使用寿命を延長する。
【図面の簡単な説明】
【００１２】
【図１】図1は本発明の知能太陽エネルギー街灯システムの全体の横断面の正面構造概略図である。
【図２】図2は本発明の知能太陽エネルギー街灯システムの全体の横断面の右視構造概略図である。
【図３】図3は本発明の知能太陽エネルギー街灯システムのＡの拡大構造概略図である。
【図４】図4は本発明の知能太陽エネルギー街灯システムの収集箱の構造概略図である。
【図５】図5は本発明の知能太陽エネルギー街灯システムの羽根の構造概略図である。
【発明を実施するための形態】
【００１３】
下記に本発明の実施例の付図にあわせて、本発明の実施例の技術プランについて明確かつ完全な説明をし、ひと目で分かることは下記の説明の中の附図はただ本発明のいくつかの実施例で、本領域の普通技術者にとって、創造的な労働を払わないことを前提に、これらの附図に基づいてそのほかの附図を得ることができる。
【００１４】
図1〜5を参照し、本発明が提供する実施例は：知能太陽エネルギー街灯システムは柱体1を含み、前記の柱体1の上側の前端面にスライド筐体2が設置され、前記のスライド筐体2の前端面に前に向かう縦のスライド溝3が連通し設置され、前記のスライド溝3が前記のスライド筐体2と外部の空間と連通し、前記のスライド筐体2にスライドブロック4が設置され、前記のスライドブロック4に第一伝動筐体5が設置され、前記の第一伝動筐体5の後端壁の壁外に転向電機6が固定に設置され、前記の転向電機6の出力軸7の前端面に第一ギヤ8が固定に設置され、前記の第一ギヤ8の下端面に第二ギヤ9が噛合し設置され、前記の第二ギヤ9の心軸10の前端面が前記のスライド筐体2や前記のスライド溝3を貫通して外部の空間に挿入し、前記の心軸10に左右に貫通する凹形ブロック17が固定に設置され、前記の凹形ブロック17に前記の心軸10に第一接続回転ブロック19が回転に接続され、前記の第一接続回転ブロック19に空き筐体55が設置され、前記の空き筐体55に前記の心軸10に第二接続回転ブロック18が回転に接続され、前記の第一接続回転ブロック19の右端面と前記の第二接続回転ブロック18の左端面にソーラーパネル20が固定に接続され、前記の心軸10の後端面に第一エネルギー転換器16が固定に接続され、前記の心軸10に伝送パイプ11が設置され、前記の伝送パイプ11が前記のソーラーパネル20と前記の第一エネルギー転換器16を接続し、前記のスライドブロック4の下側にスライドレール12が設置され、前記のスライドブロック4がスライドレール12とスライドして係合し接続され、前記のスライド筐体2の下端面に内ねじ穴の固定ブロック15が固定に設置され、前記のスライド筐体2の下側に昇降溝29が連通し設置され、前記のスライドブロック4の下端面に駆動電機13が固定に設置され、前記の駆動電機13の出力軸7の下端面に第一親ねじ14が固定に設置され、前記の第一親ねじ14の下端面が前記の固定ブロック15を貫通して前記の昇降溝29に挿入し、前記のスライド溝3の前側に前記の柱体1に上下に貫通する収集箱21が固定に設置され、前記の収集箱21の左右端面に左右に貫通する空き溝22が対称に設置され、前記の空き溝22の前端壁と後端壁の間に固定レバー23が固定に設置され、前記の固定レバー23に回転柱24が回転にスリーブ接続され、前記の回転柱24の左端面の中間位置に回しレバー25が固定に設置され、前記の回転柱24の右端面に接続レバー26が前後対称に固定に設置され、前記の接続レバー26の右端面に上に伸長する遮蔽板27が固定に設置され、前記の遮蔽板27の下端面の中間にばね28が固定に設置され、前記のばね28の他端が前記の回転柱24の右端面の中間と固定に接続し、前記の昇降溝29の後側に第二伝動筐体30が連通し接続され、前記の第二伝動筐体30に前記の第一親ねじ14に第三ギヤ31が噛合に設置され、前記の第三ギヤ31の後端面に第四ギヤ32が噛合に設置され、前記の第四ギヤ32の後端面に第五ギヤ33が噛合に設置され、前記の第五ギヤ33の中間位置に上に伸長する伝動軸34が設置され、前記の伝動軸34の上端面に第一傘歯車35が固定に設置され、前記の第一傘歯車35の後端面に第二傘歯車36が噛合に設置され、前記の柱体1の後端面に固定柱39が固定に設置され、前記の固定柱39に回転空き筐体38が設置され、前記の第二傘歯車36の後端面の中間位置に第二親ねじ37が固定に設置され、前記の第二親ねじ37の後端面が前記の回転空き筐体38を貫通して前記の回転空き筐体38の後端壁と回転に接続し、前記の第二親ねじ37に固形ブロック40が内噛合に設置され、前記の固定柱39の外周に水平のスライド空き溝42が均等に分布し、前記のスライド空き溝42が前記の回転空き溝22と外部の空間を連通し、前記のスライド空き溝42にＴ型ボロックがスライドに設置され、前記のＴ型ブロック41の下端面が前記の固形ブロック40と固定に接続し、前記のＴ型ブロック41が固形ブロック40の一つの端面を遠離して軸受43を通じて接続環44とスリーブ接続し、前記の接続環44の外部に外リングギヤ45がスリーブ接続され、前記の外リングギヤ45の上端面に伝動ギヤ46が噛合に設置され、前記の伝動ギヤ46の前端面の中間位置に固定軸47が固定に設置され、前記の固定軸47の前端面が前記の柱体1の後側に固定に設置される第二エネルギー転換器48と固定に接続し、前記の固定柱39の後端壁に固形レバー56が回転に設置され、前記の固形レバー56の後端が前記の固定柱39を貫通して外部の空間に挿入し、前記の固形レバー56に回転盤49が固定に接続され、前記の回転盤49の外周に前後回転の羽根50が均等に分布し、前記の羽根50に回し柄51が回転に設置され、前記の回し柄51の前端が前記の接続環44に回転に接続し、前記の収集箱21の下側に伝送レバー53が固定に設置され、前記の伝送レバー53の前側に知能街灯52が固定に設置され、前記の伝送レバー53の下側に支持レバー54が設置され、前記の支持レバー54の前端が前記の伝送レバー53の前端と固定に接続し、前記の支持レバー54の下端面が接続ブロック66の前端面と固定に接続し、前記の接続ブロック66の後端面が前記の溝切り65を貫通して前記の弧状内歯板64の前端面と固定に接続し、前記の知能街灯52の下側に前記の柱体1に蓄電池57が固定に設置され、前記の柱体1の上端面に前記のスライド筐体2の上側にコントローラ58が設置され、完全な知能太陽エネルギー街灯システムを構成する。
【００１５】
有益なことは、前記の収集箱21の高さが前記のソーラーパネル20の長さより大きく、前記のスライドブロック4の下端面から前記の固定ブロック15の上端面までのスライド距離が前記の心軸10の下端面からスライドブロック4の下端面までの距離と前記の心軸10から前記の収集箱21の下端面までの距離の和と同じく、これにより駆動電気13がスライドブロック4をつれて、前記のスライドブロック4が下へ移動して前記のスライド筐体2の下側の限界位置に至る時、収縮した前記のソーラーパネル20がちょうど完全に前記の収集箱21に放置され、装置の機能性を高める。
【００１６】
有益なことは、左右対称の二つの前記の回しレバー25の長さが前記の収集箱21の長さの半分であり、前記の回しレバー25が収集箱21の中心の一端に近づいて上に向かって斜めに設置され、前記の接続レバー26の長さが固定レバー23から収集箱21までの距離の長さより小さくなく、前記の遮蔽板27の高さが前記の収集箱21の長さの半分であり、これにより、回しレバー25が固定レバー23の周りを回る時に、回しレバー25と固定レバー23が互いに妨害せず、かつ収縮したソーラーパネル20によって回しレバー25と固定レバー23が同時に下に向かって推動られ、接続レバー26が収集箱21の側壁まで回転した時に、左右対称の遮蔽板27がちょうど左右接合して収集箱21の上端面を閉じ、ソーラーパネル20の収集操作を完成し、装置の協調性を高める。
【００１７】
有益なことは、前記のソーラーパネル20の上端面の左右両側と前記の収集箱21の左右両側に緩衝敷きが設置され、これにより、ソーラーパネル20が上に向かって回転し収縮する時に慣性のぶつかり合いが致すソーラーパネル20の上端面の損害を防止し、収集箱21の上端面の緩衝敷きがソーラーパネル20の下端面の損害を防止し、ソーラーパネル20の使用寿命を延長する。
【００１８】
有益なことは、前記のスライド空き溝42の長さと前記の回し柄51が羽根50のヒンジ点に接続して羽根50につれて時計方向へ90度回動して形成した弧状の長さが同じく、これにより、羽根50を収縮する時、Ｔ型ブロック41が右に向かってスライドしてスライド空き溝42の後側の限界位置まで至った時、回しレバー25が羽根50を推動して一緒に水平に収縮するまで時計回りに回し、装置の可能性を保証する。
【００１９】
有益なことは、前記の第一エネルギー転換器16と前記の第二エネルギー転換器48が電線を介して前記の蓄電池57を連通し、前記の蓄電池57が電線を介して前記の知能街灯52と接続し、これにより、太陽エネルギーと風エネルギーから転化された電気エネルギーを蓄電池57に蓄え、電線を介して知能街灯52に給電し、知能太陽エネルギー街灯システムの仕事を完成する。
【００２０】
具体的な実施方法：本発明が作業する初期状態である時、スライドブロック4がスライド筐体2の上側の限界位置にあり、ソーラーパネル20が水平に開く状態であり、Ｔ型ブロック41がスライド空き溝42の後側の限界位置にあり、外リングギヤ45と伝動ギヤ46が噛合の状態から離脱し、羽根50が水平に収縮する状態である。
【００２１】
装置が運転する時、晴れた日に太陽が出る時、ソーラーパネル20が光エネルギーと熱エネルギーを吸収し、日照りの角度が異なる場合で、コントローラ58が動作し、転向電気6が第一歯車8を連れて回転し、噛合に設置される第二ギヤ9が逆回転し、心軸10が凹形ブロック17を連れて回転し、これによりソーラーパネル20が一定の角度に回転して日照りを最強にするように調節して、ソーラーパネル20が光を十分に吸収し、第一エネルギー転換器16を通じて電気エネルギーに転化して蓄電池57に蓄える。太陽が出ない日に、コントローラ58が駆動電機13をコントロールして動作させ、親ねじ14と固定ブロック15の作用を通じて、親ねじ14がスライドブロック4を連れて下に移動し、ソーラーパネル20が降下して収集箱21に至った時、スライドブロック4が継続して降下するため、ソーラーパネル20が収集箱21の左右両端の端壁の阻みを受けたままに心軸10を回って上に向かって回転し、更に、ソーラーパネル20が収縮しながら、その下端が回しレバー25を下に押さえ、遮蔽板27が固定レバー23を回って上に回転し、ソーラーパネル20が上に上下状態に収縮して完全に収集箱21に進入した後、遮蔽板27が接合して収集箱21の上端面の閉合を完成し、ソーラーパネル20が収縮する同時に、親ねじ14の回転が第三ギヤ31と伝動軸34の伝動作用を通じて第一傘歯車35を回転させ、第一傘歯車35と噛み合う第二傘歯車36が回転して第二親ねじ37を回転させ、固形ブロック40が後側の限界位置から前に移動し、これにつれて固形ブロック40と固定に接続するＴ型ブロック41がスライド空き溝42で前側にスライドし、Ｔ型ブロック41がスライド空き溝42の前側の限界位置までスライドした後、回し柄51を通じて羽根50を完全に広げる状態に前側に回転させ、ここで駆動電機13が動作を停止し、ソーラーパネルもちょうど収縮操作を完成し、風力の作用のもとで、羽根50が回転し、回し柄51を通じて接続環44をつれて回転し、これにつれて外リングギヤ45が回転し、これにつれて外リングギヤ45と噛合に設置される伝動ギヤ46が回転し、風エネルギーを固定軸47を通じて第二エネルギー転換器48に伝送し、風エネルギーを電気エネルギーに転化して蓄電池57に蓄え、知能街灯52に給電し照明させる。
【００２２】
現在の技術と比べ、本発明の有益効果は：本発明が作業する中、太陽エネルギーと風エネルギーを結合して利用し、太陽がある日に、ソーラーパネルが光エネルギーを電気エネルギーに転化して街灯に給電し、曇天や雨天または太陽のない夜に、太陽エネルギーを収集箱に収め、遮蔽板が収集箱の上端面を覆い、ソーラーパネルの消耗を控え、ソーラーパネルが収集する時、羽根が広げ、風エネルギーを通じて発電し、街灯に給電し、更に風エネルギーを使わない時、羽根を収縮することで羽根の消耗を控え、本装置は太陽エネルギー蓄電と風エネルギー蓄電が交替的に進み、同時に進む蓄電がもたらすエネルギー過剰の浪費を減らし、更に、その中のいずれかのエネルギー転化装置が作業するとき、もう一つのエネルギー転化装置が保護の役割を果たし、使用寿命を延長する。
【００２３】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。
【図１】
2019200980.tif 000003
【図２】
2019200980.tif 000004
【図３】
2019200980.tif 000005
【図４】
2019200980.tif 000006
【図５】
2019200980.tif 000007
【手続補正書】
【提出日】平成31年4月10日(2019.4.10)
【手続補正１】
【補正対象書類名】特許請求の範囲
【補正対象項目名】請求項１
【補正方法】変更
【補正の内容】
【請求項１】
柱体を含み、前記の柱体の上側の前端面にスライド筐体が設置され、前記のスライド筐体の前端面に前に向かう縦のスライド溝が連通し設置され、前記のスライド溝が前記のスライド筐体と外部の空間と連通し、前記のスライド筐体にスライドブロックが設置され、前記のスライドブロックに第一伝動筐体が設置され、前記の第一伝動筐体の後端壁の壁外に転向電機が固定に設置され、前記の転向電機の出力軸の前端面に第一ギヤが固定に設置され、前記の第一ギヤの下端面に第二ギヤが噛合し設置され、前記の第二ギヤの心軸の前端面が前記のスライド筐体や前記のスライド溝を貫通して外部の空間に挿入し、前記の心軸に左右に貫通する凹形ブロックが固定に設置され、前記の凹形ブロックに前記の心軸に第一接続回転ブロックが回転に接続され、前記の第一接続回転ブロックに空き筐体が設置され、前記の空き筐体に前記の心軸に第二接続回転ブロックが回転に接続され、前記の第一接続回転ブロックの右端面と前記の第二接続回転ブロックの左端面にソーラーパネルが固定に接続され、前記の心軸の後端面に第一エネルギー転換器が固定に接続され、前記の心軸に伝送パイプが設置され、前記の伝送パイプが前記のソーラーパネルと前記の第一エネルギー転換器を接続し、前記のスライドブロックの下側にスライドレールが設置され、前記のスライドブロックがスライドレールとスライドして係合し接続され、前記のスライド筐体の下端面に内ねじ穴の固定ブロックが固定に設置され、前記のスライド筐体の下側に昇降溝が連通し設置され、前記のスライドブロックの下端面に駆動電機が固定に設置され、前記の駆動電機の出力軸の下端面に第一親ねじが固定に設置され、前記の第一親ねじの下端面が前記の固定ブロックを貫通して前記の昇降溝に挿入し、前記のスライド溝の前側に前記の柱体に上下に貫通する収集箱が固定に設置され、前記の収集箱の左右端面に左右に貫通する空き溝が対称に設置され、前記の空き溝の前端壁と後端壁の間に固定レバーが固定に設置され、前記の固定レバーに回転柱が回転にスリーブ接続され、前記の回転柱の左端面の中間位置に回しレバーが固定に設置され、前記の回転柱の右端面に接続レバーが前後対称に固定に設置され、前記の接続レバーの右端面に上に伸長する遮蔽板が固定に設置され、前記の遮蔽板の下端面の中間にばねが固定に設置され、前記のばねの他端が前記の回転柱の右端面の中間と固定に接続し、前記の昇降溝の後側に第二伝動筐体が連通し接続され、前記の第二伝動筐体に前記の第一親ねじに第三ギヤが噛合に設置され、前記の第三ギヤの後端面に第四ギヤが噛合に設置され、前記の第四ギヤの後端面に第五ギヤが噛合に設置され、前記の第五ギヤの中間位置に上に伸長する伝動軸が設置され、前記の伝動軸の上端面に第一傘歯車が固定に設置され、前記の第一傘歯車の後端面に第二傘歯車が噛合に設置され、前記の柱体の後端面に固定柱が固定に設置され、前記の固定柱に回転空き筐体が設置され、前記の第二傘歯車の後端面の中間位置に第二親ねじが固定に設置され、前記の第二親ねじの後端面が前記の回転空き筐体を貫通して前記の回転空き筐体の後端壁と回転に接続し、前記の第二親ねじに固形ブロックが内噛合に設置され、前記の固定柱の外周に水平のスライド空き溝が均等に分布し、前記のスライド空き溝が前記の回転空き筐体と外部の空間を連通し、前記のスライド空き溝にＴ型ブロックがスライドに設置され、前記のＴ型ブロックの下端面が前記の固形ブロックと固定に接続し、前記のＴ型ブロックにおいて固形ブロックから離れている端面には軸受を通じて接続環がスリーブ接続され、前記の接続環の外部に外リングギヤがスリーブ接続され、前記の外リングギヤの上端面に伝動ギヤが噛合に設置され、前記の伝動ギヤの前端面の中間位置に固定軸が固定に設置され、前記の固定軸の前端面が前記の柱体の後側に固定に設置される第二エネルギー転換器と固定に接続し、前記の固定柱の後端壁に固形レバーが回転に設置され、前記の固形レバーの後端が前記の固定柱を貫通して外部の空間に挿入し、前記の固形レバーに回転盤が固定に接続され、前記の回転盤の外周に前後回転の羽根が均等に分布し、前記の羽根に回し柄が回転に設置され、前記の回し柄の前端が前記の接続環に回転に接続し、前記の収集箱の下側に伝送レバーが固定に設置され、前記の伝送レバーの前側に知能街灯が固定に設置され、前記の伝送レバーの下側に支持レバーが設置され、前記の支持レバーの前端が前記の伝送レバーの前端と固定に接続し、前記の支持レバーの下端面が前記柱体と固定に接続し、前記の知能街灯の下側に前記の柱体に蓄電池が固定に設置され、前記の柱体の上端面に前記のスライド筐体の上側にコントローラが設置され、完全な知能太陽エネルギー街灯システムを構成し、前記のスライドブロックの下端面から前記の固定ブロックの上端面までのスライド距離が前記の心軸の下端面からスライドブロックの下端面までの距離と前記の心軸から前記の収集箱の下端面までの距離の和と同じであり、左右対称の二つの前記の回しレバーの長さが前記の収集箱の長さの半分であり、前記の回しレバーが収集箱の中心の一端に近づいて上に向かって斜めに設置され、前記の接続レバーの長さが固定レバーから収集箱までの距離の長さより小さくなく、前記の遮蔽板の高さが前記の収集箱の長さの半分であり、前記のソーラーパネルの上端面の左右両側と前記の収集箱の左右両側に緩衝敷きが設置され、前記のスライド空き溝の長さと、前記の回し柄と羽根とのヒンジによる継ぎ目は羽根につれて時計方向へ90度回動して形成した弧状の長さとが同じく、前記の第一エネルギー転換器と前記の第二エネルギー転換器が電線を介して前記の蓄電池を連通し、前記の蓄電池が電線を介して前記の知能街灯と接続することを特徴とする知能太陽エネルギー街灯システム。
【手続補正２】
【補正対象書類名】明細書
【補正対象項目名】全文
【補正方法】変更
【補正の内容】
【発明の詳細な説明】
【技術分野】
【０００１】
本発明は太陽エネルギー街灯分野を取り上げて、具体的には知能太陽エネルギー街灯システムである。
【背景技術】
【０００２】
新興エネルギーの開発によって、太陽エネルギーは太陽エネルギー街灯、給電照明などの各分野において応用られ、環境保護の上にエネルギー節約の面にも役に立つ。現在に太陽エネルギー街灯知能化は主に太陽エネルギーの転化効率向上と街灯の誘導コントロールに応用られ、でもソーラーパネルの吸収面積が充分でないため、光エネルギーの使用率が低いし、街灯に給電するエネルギーが単一で、長雨が降り続くと、蓄電池の保存電量が尽きたら交流しか使えなくなって、交流の電気エネルギーの消耗を高め、自然資源を十分に利用できなくなる。本発明はこの問題を解決できる。
【先行技術文献】
【特許文献】
【０００３】
【特許文献１】中国特許出願公開第104832848号明細書
【発明の概要】
【発明が解決しようとする課題】
【０００４】
本発明の目的は知能太陽エネルギー街灯システムを提供し、それは上記の技術問題を解決できる。
【課題を解決するための手段】
【０００５】
上記の目的を実現するため、本発明は以下の技術プランを提供する：知能太陽エネルギー街灯システムは柱体を含み、前記の柱体の上側の前端面にスライド筐体が設置され、前記のスライド筐体の前端面に前に向かう縦のスライド溝が連通し設置され、前記のスライド溝が前記のスライド筐体と外部の空間と連通し、前記のスライド筐体にスライドブロックが設置され、前記のスライドブロックに第一伝動筐体が設置され、前記の第一伝動筐体の後端壁の壁外に転向電機が固定に設置され、前記の転向電機の出力軸の前端面に第一ギヤが固定に設置され、前記の第一ギヤの下端面に第二ギヤが噛合し設置され、前記の第二ギヤの心軸の前端面が前記のスライド筐体や前記のスライド溝を貫通して外部の空間に挿入し、前記の心軸に左右に貫通する凹形ブロックが固定に設置され、前記の凹形ブロックに前記の心軸に第一接続回転ブロックが回転に接続され、前記の第一接続回転ブロックに空き筐体が設置され、前記の空き筐体に前記の心軸に第二接続回転ブロックが回転に接続され、前記の第一接続回転ブロックの右端面と前記の第二接続回転ブロックの左端面にソーラーパネルが固定に接続され、前記の心軸の後端面に第一エネルギー転換器が固定に接続され、前記の心軸に伝送パイプが設置され、前記の伝送パイプが前記のソーラーパネルと前記の第一エネルギー転換器を接続し、前記のスライドブロックの下側にスライドレールが設置され、前記のスライドブロックがスライドレールとスライドして係合し接続され、前記のスライド筐体の下端面に内ねじ穴の固定ブロックが固定に設置され、前記のスライド筐体の下側に昇降溝が連通し設置され、前記のスライドブロックの下端面に駆動電機が固定に設置され、前記の駆動電機の出力軸の下端面に第一親ねじが固定に設置され、前記の第一親ねじの下端面が前記の固定ブロックを貫通して前記の昇降溝に挿入し、前記のスライド溝の前側に前記の柱体に上下に貫通する収集箱が固定に設置され、前記の収集箱の左右端面に左右に貫通する空き溝が対称に設置され、前記の空き溝の前端壁と後端壁の間に固定レバーが固定に設置され、前記の固定レバーに回転柱が回転にスリーブ接続され、前記の回転柱の左端面の中間位置に回しレバーが固定に設置され、前記の回転柱の右端面に接続レバーが前後対称に固定に設置され、前記の接続レバーの右端面に上に伸長する遮蔽板が固定に設置され、前記の遮蔽板の下端面の中間にばねが固定に設置され、前記のばねの他端が前記の回転柱の右端面の中間と固定に接続し、前記の昇降溝の後側に第二伝動筐体が連通し接続され、前記の第二伝動筐体に前記の第一親ねじに第三ギヤが噛合に設置され、前記の第三ギヤの後端面に第四ギヤが噛合に設置され、前記の第四ギヤの後端面に第五ギヤが噛合に設置され、前記の第五ギヤの中間位置に上に伸長する伝動軸が設置され、前記の伝動軸の上端面に第一傘歯車が固定に設置され、前記の第一傘歯車の後端面に第二傘歯車が噛合に設置され、前記の柱体の後端面に固定柱が固定に設置され、前記の固定柱に回転空き筐体が設置され、前記の第二傘歯車の後端面の中間位置に第二親ねじが固定に設置され、前記の第二親ねじの後端面が前記の回転空き筐体を貫通して前記の回転空き筐体の後端壁と回転に接続し、前記の第二親ねじに固形ブロックが内噛合に設置され、前記の固定柱の外周に水平のスライド空き溝が均等に分布し、前記のスライド空き溝が前記の回転空き筐体と外部の空間を連通し、前記のスライド空き溝にＴ型ブロックがスライドに設置され、前記のＴ型ブロックの下端面が前記の固形ブロックと固定に接続し、前記のＴ型ブロックにおいて固形ブロックから離れている端面には軸受を通じて接続環がスリーブ接続され、前記の接続環の外部に外リングギヤがスリーブ接続され、前記の外リングギヤの上端面に伝動ギヤが噛合に設置され、前記の伝動ギヤの前端面の中間位置に固定軸が固定に設置され、前記の固定軸の前端面が前記の柱体の後側に固定に設置される第二エネルギー転換器と固定に接続し、前記の固定柱の後端壁に固形レバーが回転に設置され、前記の固形レバーの後端が前記の固定柱を貫通して外部の空間に挿入し、前記の固形レバーに回転盤が固定に接続され、前記の回転盤の外周に前後回転の羽根が均等に分布し、前記の羽根に回し柄が回転に設置され、前記の回し柄の前端が前記の接続環に回転に接続し、前記の収集箱の下側に伝送レバーが固定に設置され、前記の伝送レバーの前側に知能街灯が固定に設置され、前記の伝送レバーの下側に支持レバーが設置され、前記の支持レバーの前端が前記の伝送レバーの前端と固定に接続し、前記の支持レバーの下端面が前記柱体と固定に接続し、前記の知能街灯の下側に前記の柱体に蓄電池が固定に設置され、前記の柱体の上端面に前記のスライド筐体の上側にコントローラが設置され、完全な知能太陽エネルギー街灯システムを構成する。
【０００６】
好ましい技術プランとして前記の収集箱の高さが前記のソーラーパネルの長さより大きく、前記のスライドブロックの下端面から前記の固定ブロックの上端面までのスライド距離が前記の心軸の下端面からスライドブロックの下端面までの距離と前記の心軸から前記の収集箱の下端面までの距離の和と同じく、これにより駆動電気がスライドブロックをつれて、前記のスライドブロックが下へ移動して前記のスライド筐体の下側の限界位置に至る時、収縮した前記のソーラーパネルがちょうど完全に前記の収集箱に放置され、装置の機能性を高める。
【０００７】
好ましい技術プランとして左右対称の二つの前記の回しレバーの長さが前記の収集箱の長さの半分であり、前記の回しレバーが収集箱の中心の一端に近づいて上に向かって斜めに設置され、前記の接続レバーの長さが固定レバーから収集箱までの距離の長さより小さくなく、前記の遮蔽板の高さが前記の収集箱の長さの半分であり、これにより、回しレバーが固定レバーの周りを回る時に、回しレバーと固定レバーが互いに妨害せず、かつ収縮したソーラーパネルによって回しレバーと固定レバーが同時に下に向かって推動られ、接続レバーが収集箱の側壁まで回転した時に、左右対称の遮蔽板がちょうど左右接合して収集箱の上端面を閉じ、ソーラーパネルの収集操作を完成し、装置の協調性を高める。
【０００８】
好ましい技術プランとして前記のソーラーパネルの上端面の左右両側と前記の収集箱の左右両側に緩衝敷きが設置され、これにより、ソーラーパネルが上に向かって回転し収縮する時に慣性のぶつかり合いが致すソーラーパネルの上端面の損害を防止し、収集箱の上端面の緩衝敷きがソーラーパネルの下端面の損害を防止し、ソーラーパネルの使用寿命を延長する。
【０００９】
好ましい技術プランとして前記のスライド空き溝の長さと、前記の回し柄と羽根とのヒンジによる継ぎ目は羽根につれて時計方向へ90度回動して形成した弧状の長さとが同じく、これにより、羽根を収縮する時、Ｔ型ブロックが右に向かってスライドしてスライド空き溝の後側の限界位置まで至った時、回しレバーが羽根を推動して一緒に水平に収縮するまで時計回りに回し、装置の可能性を保証する。
【００１０】
好ましい技術プランとして前記の第一エネルギー転換器と前記の第二エネルギー転換器が電線を介して前記の蓄電池を連通し、前記の蓄電池が電線を介して前記の知能街灯と接続し、これにより、太陽エネルギーと風エネルギーから転化された電気エネルギーを蓄電池に蓄え、電線を介して知能街灯に給電し、知能太陽エネルギー街灯システムの仕事を完成する。
【発明の効果】
【００１１】
現在の技術と比べ、本発明の有益効果は：本発明が作業する中、太陽エネルギーと風エネルギーを結合して利用し、太陽がある日に、ソーラーパネルが光エネルギーを電気エネルギーに転化して街灯に給電し、曇天や雨天または太陽のない夜に、太陽エネルギーを収集箱に収め、遮蔽板が収集箱の上端面を覆い、ソーラーパネルの消耗を控え、ソーラーパネルが収集する時、羽根が広げ、風エネルギーを通じて発電し、街灯に給電し、更に風エネルギーを使わない時、羽根を収縮することで羽根の消耗を控え、本装置は太陽エネルギー蓄電と風エネルギー蓄電が交替的に進み、同時に進む蓄電がもたらすエネルギー過剰の浪費を減らし、更に、その中のいずれかのエネルギー転化装置が作業するとき、もう一つのエネルギー転化装置が保護の役割を果たし、使用寿命を延長する。
【図面の簡単な説明】
【００１２】
【図１】図1は本発明の知能太陽エネルギー街灯システムの全体の横断面の正面構造概略図である。
【図２】図2は本発明の知能太陽エネルギー街灯システムの全体の横断面の右視構造概略図である。
【図３】図3は本発明の知能太陽エネルギー街灯システムのＡの拡大構造概略図である。
【図４】図4は本発明の知能太陽エネルギー街灯システムの収集箱の構造概略図である。
【図５】図5は本発明の知能太陽エネルギー街灯システムの羽根の構造概略図である。
【発明を実施するための形態】
【００１３】
下記に本発明の実施例の付図にあわせて、本発明の実施例の技術プランについて明確かつ完全な説明をし、ひと目で分かることは下記の説明の中の附図はただ本発明のいくつかの実施例で、本領域の普通技術者にとって、創造的な労働を払わないことを前提に、これらの附図に基づいてそのほかの附図を得ることができる。
【００１４】
図1〜5を参照し、本発明が提供する実施例は：知能太陽エネルギー街灯システムは柱体1を含み、前記の柱体1の上側の前端面にスライド筐体2が設置され、前記のスライド筐体2の前端面に前に向かう縦のスライド溝3が連通し設置され、前記のスライド溝3が前記のスライド筐体2と外部の空間と連通し、前記のスライド筐体2にスライドブロック4が設置され、前記のスライドブロック4に第一伝動筐体5が設置され、前記の第一伝動筐体5の後端壁の壁外に転向電機6が固定に設置され、前記の転向電機6の出力軸7の前端面に第一ギヤ8が固定に設置され、前記の第一ギヤ8の下端面に第二ギヤ9が噛合し設置され、前記の第二ギヤ9の心軸10の前端面が前記のスライド筐体2や前記のスライド溝3を貫通して外部の空間に挿入し、前記の心軸10に左右に貫通する凹形ブロック17が固定に設置され、前記の凹形ブロック17に前記の心軸10に第一接続回転ブロック19が回転に接続され、前記の第一接続回転ブロック19に空き筐体55が設置され、前記の空き筐体55に前記の心軸10に第二接続回転ブロック18が回転に接続され、前記の第一接続回転ブロック19の右端面と前記の第二接続回転ブロック18の左端面にソーラーパネル20が固定に接続され、前記の心軸10の後端面に第一エネルギー転換器16が固定に接続され、前記の心軸10に伝送パイプ11が設置され、前記の伝送パイプ11が前記のソーラーパネル20と前記の第一エネルギー転換器16を接続し、前記のスライドブロック4の下側にスライドレール12が設置され、前記のスライドブロック4がスライドレール12とスライドして係合し接続され、前記のスライド筐体2の下端面に内ねじ穴の固定ブロック15が固定に設置され、前記のスライド筐体2の下側に昇降溝29が連通し設置され、前記のスライドブロック4の下端面に駆動電機13が固定に設置され、前記の駆動電機13の出力軸7の下端面に第一親ねじ14が固定に設置され、前記の第一親ねじ14の下端面が前記の固定ブロック15を貫通して前記の昇降溝29に挿入し、前記のスライド溝3の前側に前記の柱体1に上下に貫通する収集箱21が固定に設置され、前記の収集箱21の左右端面に左右に貫通する空き溝22が対称に設置され、前記の空き溝22の前端壁と後端壁の間に固定レバー23が固定に設置され、前記の固定レバー23に回転柱24が回転にスリーブ接続され、前記の回転柱24の左端面の中間位置に回しレバー25が固定に設置され、前記の回転柱24の右端面に接続レバー26が前後対称に固定に設置され、前記の接続レバー26の右端面に上に伸長する遮蔽板27が固定に設置され、前記の遮蔽板27の下端面の中間にばね28が固定に設置され、前記のばね28の他端が前記の回転柱24の右端面の中間と固定に接続し、前記の昇降溝29の後側に第二伝動筐体30が連通し接続され、前記の第二伝動筐体30に前記の第一親ねじ14に第三ギヤ31が噛合に設置され、前記の第三ギヤ31の後端面に第四ギヤ32が噛合に設置され、前記の第四ギヤ32の後端面に第五ギヤ33が噛合に設置され、前記の第五ギヤ33の中間位置に上に伸長する伝動軸34が設置され、前記の伝動軸34の上端面に第一傘歯車35が固定に設置され、前記の第一傘歯車35の後端面に第二傘歯車36が噛合に設置され、前記の柱体1の後端面に固定柱39が固定に設置され、前記の固定柱39に回転空き筐体38が設置され、前記の第二傘歯車36の後端面の中間位置に第二親ねじ37が固定に設置され、前記の第二親ねじ37の後端面が前記の回転空き筐体38を貫通して前記の回転空き筐体38の後端壁と回転に接続し、前記の第二親ねじ37に固形ブロック40が内噛合に設置され、前記の固定柱39の外周に水平のスライド空き溝42が均等に分布し、前記のスライド空き溝42が前記の回転空き筐体38と外部の空間を連通し、前記のスライド空き溝42にＴ型ブロックがスライドに設置され、前記のＴ型ブロック41の下端面が前記の固形ブロック40と固定に接続し、前記のＴ型ブロック41において固形ブロック40から離れている端面には軸受43を通じて接続環44がスリーブ接続され、前記の接続環44の外部に外リングギヤ45がスリーブ接続され、前記の外リングギヤ45の上端面に伝動ギヤ46が噛合に設置され、前記の伝動ギヤ46の前端面の中間位置に固定軸47が固定に設置され、前記の固定軸47の前端面が前記の柱体1の後側に固定に設置される第二エネルギー転換器48と固定に接続し、前記の固定柱39の後端壁に固形レバー56が回転に設置され、前記の固形レバー56の後端が前記の固定柱39を貫通して外部の空間に挿入し、前記の固形レバー56に回転盤49が固定に接続され、前記の回転盤49の外周に前後回転の羽根50が均等に分布し、前記の羽根50に回し柄51が回転に設置され、前記の回し柄51の前端が前記の接続環44に回転に接続し、前記の収集箱21の下側に伝送レバー53が固定に設置され、前記の伝送レバー53の前側に知能街灯52が固定に設置され、前記の伝送レバー53の下側に支持レバー54が設置され、前記の支持レバー54の前端が前記の伝送レバー53の前端と固定に接続し、前記の支持レバー54の下端面が前記柱体1と固定に接続し、前記の知能街灯52の下側に前記の柱体1に蓄電池57が固定に設置され、前記の柱体1の上端面に前記のスライド筐体2の上側にコントローラ58が設置され、完全な知能太陽エネルギー街灯システムを構成する。
【００１５】
有益なことは、前記の収集箱21の高さが前記のソーラーパネル20の長さより大きく、前記のスライドブロック4の下端面から前記の固定ブロック15の上端面までのスライド距離が前記の心軸10の下端面からスライドブロック4の下端面までの距離と前記の心軸10から前記の収集箱21の下端面までの距離の和と同じく、これにより駆動電気13がスライドブロック4をつれて、前記のスライドブロック4が下へ移動して前記のスライド筐体2の下側の限界位置に至る時、収縮した前記のソーラーパネル20がちょうど完全に前記の収集箱21に放置され、装置の機能性を高める。
【００１６】
有益なことは、左右対称の二つの前記の回しレバー25の長さが前記の収集箱21の長さの半分であり、前記の回しレバー25が収集箱21の中心の一端に近づいて上に向かって斜めに設置され、前記の接続レバー26の長さが固定レバー23から収集箱21までの距離の長さより小さくなく、前記の遮蔽板27の高さが前記の収集箱21の長さの半分であり、これにより、回しレバー25が固定レバー23の周りを回る時に、回しレバー25と固定レバー23が互いに妨害せず、かつ収縮したソーラーパネル20によって回しレバー25と固定レバー23が同時に下に向かって推動られ、接続レバー26が収集箱21の側壁まで回転した時に、左右対称の遮蔽板27がちょうど左右接合して収集箱21の上端面を閉じ、ソーラーパネル20の収集操作を完成し、装置の協調性を高める。
【００１７】
有益なことは、前記のソーラーパネル20の上端面の左右両側と前記の収集箱21の左右両側に緩衝敷きが設置され、これにより、ソーラーパネル20が上に向かって回転し収縮する時に慣性のぶつかり合いが致すソーラーパネル20の上端面の損害を防止し、収集箱21の上端面の緩衝敷きがソーラーパネル20の下端面の損害を防止し、ソーラーパネル20の使用寿命を延長する。
【００１８】
有益なことは、前記のスライド空き溝42の長さと、前記の回し柄51と羽根50とのヒンジによる継ぎ目は羽根50につれて時計方向へ90度回動して形成した弧状の長さとが同じく、これにより、羽根50を収縮する時、Ｔ型ブロック41が右に向かってスライドしてスライド空き溝42の後側の限界位置まで至った時、回しレバー25が羽根50を推動して一緒に水平に収縮するまで時計回りに回し、装置の可能性を保証する。
【００１９】
有益なことは、前記の第一エネルギー転換器16と前記の第二エネルギー転換器48が電線を介して前記の蓄電池57を連通し、前記の蓄電池57が電線を介して前記の知能街灯52と接続し、これにより、太陽エネルギーと風エネルギーから転化された電気エネルギーを蓄電池57に蓄え、電線を介して知能街灯52に給電し、知能太陽エネルギー街灯システムの仕事を完成する。
【００２０】
具体的な実施方法：本発明が作業する初期状態である時、スライドブロック4がスライド筐体2の上側の限界位置にあり、ソーラーパネル20が水平に開く状態であり、Ｔ型ブロック41がスライド空き溝42の後側の限界位置にあり、外リングギヤ45と伝動ギヤ46が噛合の状態から離脱し、羽根50が水平に収縮する状態である。
【００２１】
装置が運転する時、晴れた日に太陽が出る時、ソーラーパネル20が光エネルギーと熱エネルギーを吸収し、日照りの角度が異なる場合で、コントローラ58が動作し、転向電気6が第一歯車8を連れて回転し、噛合に設置される第二ギヤ9が逆回転し、心軸10が凹形ブロック17を連れて回転し、これによりソーラーパネル20が一定の角度に回転して日照りを最強にするように調節して、ソーラーパネル20が光を十分に吸収し、第一エネルギー転換器16を通じて電気エネルギーに転化して蓄電池57に蓄える。太陽が出ない日に、コントローラ58が駆動電機13をコントロールして動作させ、親ねじ14と固定ブロック15の作用を通じて、親ねじ14がスライドブロック4を連れて下に移動し、ソーラーパネル20が降下して収集箱21に至った時、スライドブロック4が継続して降下するため、ソーラーパネル20が収集箱21の左右両端の端壁の阻みを受けたままに心軸10を回って上に向かって回転し、更に、ソーラーパネル20が収縮しながら、その下端が回しレバー25を下に押さえ、遮蔽板27が固定レバー23を回って上に回転し、ソーラーパネル20が上に上下状態に収縮して完全に収集箱21に進入した後、遮蔽板27が接合して収集箱21の上端面の閉合を完成し、ソーラーパネル20が収縮する同時に、親ねじ14の回転が第三ギヤ31と伝動軸34の伝動作用を通じて第一傘歯車35を回転させ、第一傘歯車35と噛み合う第二傘歯車36が回転して第二親ねじ37を回転させ、固形ブロック40が後側の限界位置から前に移動し、これにつれて固形ブロック40と固定に接続するＴ型ブロック41がスライド空き溝42で前側にスライドし、Ｔ型ブロック41がスライド空き溝42の前側の限界位置までスライドした後、回し柄51を通じて羽根50を完全に広げる状態に前側に回転させ、ここで駆動電機13が動作を停止し、ソーラーパネルもちょうど収縮操作を完成し、風力の作用のもとで、羽根50が回転し、回し柄51を通じて接続環44をつれて回転し、これにつれて外リングギヤ45が回転し、これにつれて外リングギヤ45と噛合に設置される伝動ギヤ46が回転し、風エネルギーを固定軸47を通じて第二エネルギー転換器48に伝送し、風エネルギーを電気エネルギーに転化して蓄電池57に蓄え、知能街灯52に給電し照明させる。
【００２２】
現在の技術と比べ、本発明の有益効果は：本発明が作業する中、太陽エネルギーと風エネルギーを結合して利用し、太陽がある日に、ソーラーパネルが光エネルギーを電気エネルギーに転化して街灯に給電し、曇天や雨天または太陽のない夜に、太陽エネルギーを収集箱に収め、遮蔽板が収集箱の上端面を覆い、ソーラーパネルの消耗を控え、ソーラーパネルが収集する時、羽根が広げ、風エネルギーを通じて発電し、街灯に給電し、更に風エネルギーを使わない時、羽根を収縮することで羽根の消耗を控え、本装置は太陽エネルギー蓄電と風エネルギー蓄電が交替的に進み、同時に進む蓄電がもたらすエネルギー過剰の浪費を減らし、更に、その中のいずれかのエネルギー転化装置が作業するとき、もう一つのエネルギー転化装置が保護の役割を果たし、使用寿命を延長する。
【００２３】
本分野の技術者にとって、本発明は上記の模範の実施例の細部に限らなく、本発明の意義また基本的な特徴から背離しない状況で、その他の具体的な形式で本発明を実現できる。だから、どこから見てもこの実施例を模範で制限性ではないことと見なして、本発明の範囲は添付の権利要求に限定され、権利要求の同等重要書類の意味と範囲に落ちる全部の変化を本発明に包括させる。権利要求の中の全ての附図マークを権利要求を制限することと見なしないである。